(57)【要約】【課題】画像の合成により書き換えた部分をデータ上で特定することができるカラー画像処理装置を提供する。【解決手段】このデジタルカラー複合機では、Ｌａｂ表色系の色空間７のうち、現実の色として存在しない領域７１に、Ｌａｂ本来の定義とは異なる定義をしている。そして、入力された画像データに他の画像を合成させるときには、合成により書き換える画素を、領域７１を使用して表す。このため、（Ｌ，ａ，ｂ）の値が領域７１に含まれるか否かによって、その画素が合成により書き換えられた部分であるか否かをデータ上で区別することができる。【選択図】図４
2006229834.tif 000002
【特許請求の範囲】
【請求項１】
カラー画像処理装置であって、
第１の表色系で表された第１の画像データに、他の画像を合成して、第１の表色系で表された第２の画像データを生成する画像合成手段を備え、
前記画像合成手段は、前記第２の画像データのうち合成により書き換えた部分を、前記第１の表色系の特定の領域を使用して表すことを特徴とするカラー画像処理装置。
【請求項２】
請求項１に記載のカラー画像処理装置であって、
前記特定の領域には、前記第１の表色系の本来の定義とは異なる定義がされていることを特徴とするカラー画像処理装置。
【請求項３】
請求項１または２に記載のカラー画像処理装置であって、
前記特定の領域は、前記第１の表色系に規定された色空間のうち、人間により知覚不能な領域であることを特徴とするカラー画像処理装置。
【請求項４】
請求項１から３までのいずれかに記載のカラー画像処理装置であって、
前記第１の表色系は、Ｌａｂ表色系であることを特徴とするカラー画像処理装置。
【請求項５】
請求項１から４までのいずれかに記載のカラー画像処理装置であって、
前記第２の画像データを、変換テーブルに基づいて、第２の表色系で表された第３の画像データに変換する表色系変換手段をさらに備え、
前記変換テーブルは、前記特定の領域と前記第２の表色系とを対応付けた変換テーブルを含むことを特徴とするカラー画像処理装置。
【請求項６】
請求項５に記載のカラー画像処理装置であって、
前記第２の画像データは、前記第１の表色系の主要点の情報と、前記主要点に対する補間比率の情報とを、画素ごとに含み、
前記表色系変換手段は、
前記第１の表色系の主要点を前記第２の表色系の主要点に変換する主要点変換手段と、
前記第２の表色系の主要点と前記補間比率とに基づいて補間演算を行う補間演算手段と、
を有することを特徴とするカラー画像処理装置。
【請求項７】
請求項１から６までのいずれかに記載のカラー画像処理装置であって、
前記第２の画像データには、前記特定の領域と前記第２の表色系とを対応付けた変換テーブルが含まれており、
前記表色系変換手段は、前記第２の画像データに含まれた変換テーブルに基づいて、前記第２の画像データを前記第３の画像データに変換し、
さらに、前記第３の画像データを出力する出力手段を備えたことを特徴とするカラー画像処理装置。
【請求項８】
請求項７に記載のカラー画像処理装置であって、
前記特定の領域は、前記第１の表色系に規定された色空間のうち、前記出力手段により出力不能な領域であることを特徴とするカラー画像処理装置。
【請求項９】
請求項１から８までのいずれかに記載のカラー画像処理装置であって、
前記第１の画像データを取得する入力手段をさらに備え、
前記特定の領域は、前記第１の表色系に規定された色空間のうち、前記入力手段により取得不能な領域であることを特徴とするカラー画像処理装置。
【請求項１０】
所定の表色系で表された画像データのデータ構造であって、
前記画像データは、前記表色系の本来の定義とは異なる定義がされた前記表色系の特定の領域を使用して表されている部分を有し、
前記画像データのヘッダ部分に、前記表色系の特定の領域と他の表色系とを対応付けた変換テーブルまたは前記表色系の特定の領域と前記表色系の他の領域とを対応付けた変換テーブルが記述されていることを特徴とする画像データのデータ構造。
【発明の詳細な説明】
【技術分野】
【０００１】
本発明は、画像合成の機能を備えたカラー画像処理装置および画像データのデータ構造に関する。
【背景技術】
【０００２】
デジタルカラー複写機のように、入力された画像データに色調整等の処理を加えて出力するカラー画像処理装置が知られている。特に、近年のカラー画像処理装置には、入力された画像データに他の画像を合成させて出力する機能を有するものがある。このような画像合成の機能を使用すれば、たとえば、図７のように、原稿画像１０１を読み取り、原稿画像１０１に「社外秘」等の文字を合成した出力画像１０２を出力することができる。
【０００３】
このような従来の画像合成の技術については、たとえば特許文献１，２に開示されている。
【０００４】
【特許文献１】特開平２−１１５９８３号公報
【特許文献２】特開平５−１９７４２号公報
【発明の開示】
【発明が解決しようとする課題】
【０００５】
ところで、このようなカラー画像処理装置では、原稿の画像をＲＧＢ表色系の画像データとして取得し、それを一旦Ｌａｂ表色系の画像データに変換して所定の画像処理を行った後、さらにＣＭＹＫ表色系の画像データに変換して出力することが多い。そして、従来のカラー画像処理装置では、画像データをＣＭＹＫ表色系に変換した後に、上記の画像合成を行っていた。このため、合成後の画像においては、合成により書き換えられた部分も他の部分も、同じようにＣＭＹＫの値により表され、これらをデータ上で区別することは困難であった。
【０００６】
本発明は、このような事情に鑑みなされたものであり、画像の合成により書き換えた部分をデータ上で特定することができるカラー画像処理装置および画像データのデータ構造を提供することを目的とする。
【課題を解決するための手段】
【０００７】
上記課題を解決するため、請求項１に係る発明は、カラー画像処理装置であって、第１の表色系で表された第１の画像データに、他の画像を合成して、第１の表色系で表された第２の画像データを生成する画像合成手段を備え、前記画像合成手段は、前記第２の画像データのうち合成により書き換えた部分を、前記第１の表色系の特定の領域を使用して表すことを特徴とする。
【０００８】
請求項２に係る発明は、請求項１に記載のカラー画像処理装置であって、前記特定の領域には、前記第１の表色系の本来の定義とは異なる定義がされていることを特徴とする。
【０００９】
請求項３に係る発明は、請求項１または２に記載のカラー画像処理装置であって、前記特定の領域は、前記第１の表色系に規定された色空間のうち、人間により知覚不能な領域であることを特徴とする。
【００１０】
請求項４に係る発明は、請求項１から３までのいずれかに記載のカラー画像処理装置であって、前記第１の表色系は、Ｌａｂ表色系であることを特徴とする。
【００１１】
請求項５に係る発明は、請求項１から４までのいずれかに記載のカラー画像処理装置であって、前記第２の画像データを、変換テーブルに基づいて、第２の表色系で表された第３の画像データに変換する表色系変換手段をさらに備え、前記変換テーブルは、前記特定の領域と前記第２の表色系とを対応付けた変換テーブルを含むことを特徴とする。
【００１２】
請求項６に係る発明は、請求項５に記載のカラー画像処理装置であって、前記第２の画像データは、前記第１の表色系の主要点の情報と、前記主要点に対する補間比率の情報とを、画素ごとに含み、前記表色系変換手段は、前記第１の表色系の主要点を前記第２の表色系の主要点に変換する主要点変換手段と、前記第２の表色系の主要点と前記補間比率とに基づいて補間演算を行う補間演算手段と、を有することを特徴とする。
【００１３】
請求項７に係る発明は、請求項１から６までのいずれかに記載のカラー画像処理装置であって、前記第２の画像データには、前記特定の領域と前記第２の表色系とを対応付けた変換テーブルが含まれており、前記表色系変換手段は、前記第２の画像データに含まれた変換テーブルに基づいて、前記第２の画像データを前記第３の画像データに変換し、さらに、前記第３の画像データを出力する出力手段を備えたことを特徴とする。
【００１４】
請求項８に係る発明は、請求項７に記載のカラー画像処理装置であって、前記特定の領域は、前記第１の表色系に規定された色空間のうち、前記出力手段により出力不能な領域であることを特徴とする。
【００１５】
請求項９に係る発明は、請求項１から８までのいずれかに記載のカラー画像処理装置であって、前記第１の画像データを取得する入力手段をさらに備え、前記特定の領域は、前記第１の表色系に規定された色空間のうち、前記入力手段により取得不能な領域であることを特徴とする。
【００１６】
請求項１０に係る発明は、所定の表色系で表された画像データのデータ構造であって、前記画像データは、前記表色系の本来の定義とは異なる定義がされた前記表色系の特定の領域を使用して表されている部分を有し、前記画像データのヘッダ部分に、前記表色系の特定の領域と他の表色系とを対応付けた変換テーブルまたは前記表色系の特定の領域と前記表色系の他の領域とを対応付けた変換テーブルが記述されていることを特徴とする。
【発明の効果】
【００１７】
請求項１〜９に記載の発明によれば、第２の画像データのうち合成により書き換えた部分は、第１の表色系の特定の領域を使用して表す。このため、第１の表色系の特定の領域を使用して表されているか否かによって、合成により書き換えられた部分と他の部分とをデータ上で区別することができる。
【００１８】
特に、請求項２に記載の発明によれば、第１の表色系の特定の領域を、本来の色とは異なる任意の色に定義し、その色を用いて画像を合成することできる。
【００１９】
特に、請求項３に記載の発明によれば、第１の表色系の色空間のうち、人間により知覚不能な領域に、特定の領域を設定する。このため、人間により知覚可能な領域を制限することなく、特定の領域を設定することができる。
【００２０】
特に、請求項４に記載の発明によれば、Ｌａｂ表色系はＲＧＢ表色系やＣＭＹＫ表色系に比べて表色範囲が広いため、特定の領域を設定しやすい。
【００２１】
特に、請求項５に記載の発明によれば、特定の領域を使用して表した部分についても、変換テーブルに基づいて適切に表色系を変換することができる。
【００２２】
特に、請求項６に記載の発明によれば、主要点の変換テーブルを準備しておくだけで、多階調の色についても適切に表色系を変換することができる。
【００２３】
特に、請求項７に記載の発明によれば、第２の画像データに含まれた変換テーブルに基づいて、表色系の変換を行う。このため、あらかじめ特定の領域に関する変換テーブルを変換処理のために保持しておく必要はない。
【００２４】
特に、請求項８に記載の発明によれば、第１の表色系の色空間のうち、出力手段により出力不能な領域に、特定の領域を設定する。このため、出力手段により出力可能な領域を制限することなく、特定の領域を設定することができる。
【００２５】
特に、請求項９に記載の発明によれば、第１の表色系の色空間のうち、入力手段により取得不能な領域に、特定の領域を設定する。このため、入力手段により取得可能な領域を制限することなく、特定の領域を設定することができる。
【００２６】
また、請求項１０に記載の発明によれば、画像の合成により書き換えた部分を、表色系の特定の領域を使用して表すことができる。このため、特定の領域を使用して表されているか否かによって、合成により書き換えられた部分と他の部分とをデータ上で区別することができる。また、画像データには、特定の領域に関する変換テーブルが記述されている。このため、特定の領域に関する変換テーブルを有さない装置においても、その画像データを使用することができる。
【発明を実施するための最良の形態】
【００２７】
＜１．デジタルカラー複合機の全体構成について＞
図１は、本発明のカラー画像処理装置の一例であるデジタルカラー複合機１の構成を示したブロック図である。図１のように、このデジタルカラー複合機１は、制御部１１と、画像読取部１２と、画像処理部１３と、画像記録部１４と、ＲＯＭ１５と、ＲＡＭ１６と、画像メモリ１７と、表示部１８と、操作部１９と、大容量蓄積部２１と、外部インターフェイス部２２とを、バスライン２０を介して電気的に接続した構成となっている。
【００２８】
制御部１１は、ＣＰＵで構成されている。制御部１１は、ＲＯＭ１５に記憶されたプログラムに基づいて上記のハードウエア各部を制御し、デジタルカラー複合機１の機能を実現する。
【００２９】
画像読取部１２は、原稿上の画像をＣＣＤラインセンサなどの読取素子によって読み取るスキャナである。画像読取部１２は、ガラス台上に載置された原稿の表面を読取素子が走査して画像を読み取るタイプのスキャナであってもよく、ＡＤＦ（Auto Document Feeder）によって搬送される原稿の表面を、静止した読取素子によって走査して画像を読み取るタイプのスキャナであってもよい。画像読取部１２は、原稿の画像のＲ（Red），Ｇ（Green），Ｂ（Blueviolet）の各成分をアナログ信号として画素ごとに読み取り、ＲＧＢ表色系の画像データを取得する。
【００３０】
画像処理部１３は、画像読取部１２から取得した画像データに、Ａ／Ｄ変換、表色系の変換、色調整、画像の合成などの種々の処理を行う処理部である。画像処理部１３の詳細な構成については、後述する。画像処理部１３において処理した後の画像データは、画像記録部１４へ渡される。
【００３１】
画像記録部１４は、画像処理部１３から受けた画像データに基づいて、記録紙上に画像を記録するプリンタである。画像記録部１４には、たとえば、電子写真方式のプリンタを採用することができる。
【００３２】
ＲＯＭ１５は、デジタルカラー複合機１の制御に必要なプログラムやデータを予め格納した読み出し専用の記憶装置である。ＲＯＭ１５には、画像処理部１３における表色系の変換に必要な変換テーブル１５ａが記憶されている。
【００３３】
ＲＡＭ１６は、読み出しと書き込みとが可能な記憶装置であり、制御部１１による演算処理の際に発生するデータを一時的に記憶する。ＲＡＭ１６は、ＳＲＡＭやフラッシュメモリなどで構成される。
【００３４】
画像メモリ１７は、画像読取部１２において取得された画像データや、画像処理部において処理された画像データを、一時的に記憶するための記憶装置である。画像メモリ１７は、読み出しと書き込みとが可能なＤＲＡＭ等のメモリにより構成される。
【００３５】
表示部１８は、デジタルカラー複合機１の動作状態や、画像データなどを表示する表示装置である。表示部１８は、液晶ディスプレイなどの表示装置により構成される。
【００３６】
操作部１９は、文字キー、テンキー、ファンクションキーなどの各種キーによって構成され、コマンドやデータの入力などのユーザ操作を受け付ける。操作部１９が受けたユーザ操作は、信号として制御部１１に入力される。そして、制御部１１は、ユーザ操作に基づいて各部の動作を制御する。ユーザは、この操作部１９を介して、後述する色調整や、画像合成の指示を、デジタルカラー複合機１に与えることができる。
【００３７】
大容量蓄積部２１は、ハードディスクなどにより構成される。大容量蓄積部２１は、画像処理部１３により処理された画像データを蓄積することができる。外部インターフェイス部２２は、通信回線（ＬＡＮ，電話回線など）２２ａを介して外部装置との通信を可能にする装置である。
【００３８】
＜２．画像処理部の構成について＞
上記のデジタルカラー複合機１のうち、画像処理部１３についてさらに説明する。図２は、画像処理部１３の構成を示したブロック図である。画像処理部１３は、画像読取部１２から取得した画像データ９ａに種々の処理を行う処理部であり、図２のように、Ａ／Ｄ変換部１３１と、第１表色系変換部１３２と、色調整部１３３と、画像合成部１３４と、第２表色系変換部１３５と、階調変換部１３６と、を備える。
【００３９】
Ａ／Ｄ変換部１３１は、画像読取部１２から取得したアナログ信号の画像データ９ａを、デジタル信号の画像データ９ｂに変換する。Ａ／Ｄ変換部１３１から出力される画像データ９ｂは、各画素のＲ成分、Ｇ成分、Ｂ成分を、それぞれ８ビットで表した多値の画像データである。なお、Ａ／Ｄ変換部１３１と第１表色系変換部１３２との間に、シェーディング補正部や、ライン補正部や、γ補正部などを設け、画像読取部１２の歪みや特性を補正するようにしてもよい。
【００４０】
次に、画像データ９ｂは、第１表色系変換部１３２へ入力される。第１表色系変換部１３２は、ＲＧＢ表色系の画像データ９ｂを、Ｌａｂ表色系の画像データ９ｃに変換する。具体的には、制御部１１が、ＲＯＭ１５から読み出したプログラムに基づいて行列演算を行うことにより、変換処理を実行する。変換後の画像データ９ｃは、各画素のＬ成分，ａ成分，ｂ成分を、それぞれ８ビットで表した画像データとなる。
【００４１】
このように、このデジタルカラー複合機１においては、ＲＧＢ表色系の画像データ９ｂを、一旦Ｌａｂ表色系の画像データ９ｃに変換して、後続の色調整の処理を行う。これは、Ｌａｂ表色系がＬ（明度）とａ（赤〜緑）とｂ（黄〜青）とによって色を表しているため、人間の感覚に近く、色調整の処理において取り扱い易いからである。なお、Ｌａｂ表色系において、色相θはｔａｎ-1θ＝ｂ／ａにより表すことができ、彩度は（ａ2＋ｂ2）1/2により表すことができる。
【００４２】
Ｌａｂ表色系に変換された画像データ９ｃは、次に、色調整部１３３へ入力される。色調整部１３３は、操作部１９から指示された調整値に応じて、画像データ９ｃの明るさ、コントラスト、彩度、色相などを調整し、画像データ９ｄを生成する。
【００４３】
その後、画像データ９ｄは、画像合成部１３４へ入力される。画像合成部１３４は、図３に示したように、画像データ９ｄに他の画像８を合成し、画像データ９ｅを生成する。合成する画像８は、図３に示したような文字でもよく、他の図形等であってもよい。合成する画像８の形状や、色や、大きさや、画像データ９ｄ上における位置などは、操作部１９から指示することができる。
【００４４】
ここで、この画像合成部１３４では、画像データ９ｅのうち、合成により書き換えられた部分（図３では「社外秘」の文字部分）を、Ｌａｂ表色系の特定の領域を使って表す。これについて、以下に説明する。
【００４５】
図４は、Ｌａｂ表色系の色空間７を示した図である。Ｌａｂ表色系の色空間７は、Ｌ軸と、ａ軸と、ｂ軸とによって規定され、Ｌ，ａ，ｂはそれぞれ、０≦Ｌ≦２５５，−１２８≦ａ≦１２７，−１２８≦ｂ≦１２７の範囲の整数値をとり得る。Ｌａｂ表色系の画像データでは、各画素の色が、このような色空間７の一点として表される。
【００４６】
しかしながら、このＬａｂ表色系の色空間７の中には、通常使用されない領域（以下「無効領域」という。）が含まれている。色空間７の無効領域は、たとえば、（ａ）人間により知覚不能な領域や、（ｂ）画像読取部１２により読み取り不能な領域や、（ｃ）画像記録部１４により記録不能な領域などである。通常は、入力される画像データ９ｄに無効領域の情報が含まれることはない。
【００４７】
図４に示した色空間７において、２２４≦Ｌ≦２５５，９６≦ａ≦１２８，９６≦ｂ≦１２８で囲まれた領域７１は、上記の無効領域に該当する。デジタルカラー複合機１では、この領域７１に本来のＬａｂ表色系とは異なる表色の定義をする。そして、画像合成部１３４においては、画像データ９ｄのうち合成により書き換えた部分を、この領域７１の値を使用して表す。なお、多くの使用形態に対応するために、領域７１は上記（ａ），（ｂ），（ｃ）の全てに該当する領域であることが好ましい。また、上記（ａ）に関して、人間は暗い色については彩度を知覚することができないので、そのような暗い色の領域を無効領域として使用してもよい。
【００４８】
領域７１には、例えば図５のような表色の定義をする。図５に示した領域７１では、８つの頂点にそれぞれＷ（White），Ｒ（Red），Ｇ（Green），Ｂ（Blueviolet），Ｃ（Cyan），Ｍ（Magenta），Ｙ（Yellow），Ｂｋ（Black）の各基本色が割り当てられている。そして、領域７１に含まれる点は、これらの頂点からの距離に応じて、これらの基本色の合成色とされる。たとえば、（Ｌ，ａ，ｂ）＝（２２４，９６，９６）の点はＢｌａｃｋ色として定義され、（Ｌ，ａ，ｂ）＝（２５５，１２７，９６）の点はＣｙａｎ色として定義される。また、（Ｌ，ａ，ｂ）＝（２５５，１２７，１１２）の点は、薄いＣｙａｎ色とされる。
【００４９】
このように、このデジタルカラー複合機１では、色空間７の一部の領域７１にＬａｂ本来の定義とは異なる定義をしている。そして、画像合成部１３４において書き換えた部分（図３では「社外秘」の文字部分）を領域７１を使用して表す。このため、画素の（Ｌ，ａ，ｂ）の値が領域７１に含まれるか否かによって、その画素が画像合成部において書き換えられた画素であるか否かを区別することができる。すなわち、合成により書き換えた画素を別個に記憶させておく必要はなく、合成により書き換えた画素のみを抽出したり、その画素の色を後から変更したりすることができる。
【００５０】
図２に戻り、画像合成部１３４から出力された画像データ９ｅは、次に、第２表色系変換部１３５に入力される。第２表色系変換部１３５は、Ｌａｂ表色系の画像データ９ｅを、画像記録部１４の記録方式に適したＣＭＹＫ表色系の画像データ９ｆに変換する。図６は、この第２表色系変換部１３５の構成を示したブロック図である。
【００５１】
画像合成部１３４から出力された画像データ９ｅは、各画素のＬ成分、ａ成分、ｂ成分を、それぞれ８ビットで表すが、そのうち上位の３ビットで主要点（色空間７を一辺３２の立方体で区切った格子点）の情報を表し、下位の５ビットで主要点に対する補間比率の情報を表す。第２表色系変換部１３５では、このような画像データ９ｅを、画素ごとに上位３ビットと下位５ビットとに分割し、上位３ビットを主要点変換部１３５ａへ、下位５ビットを補間比率生成部１３５ｂへ、それぞれ入力する。
【００５２】
主要点変換部１３５ａでは、各画素の上位３ビットで表される主要点を、ＣＭＹＫ表色系の主要点に変換する。この変換処理は、ＲＯＭ１５に記憶された変換テーブル１５ａをＲＡＭ１６へ読み出し、ＲＡＭ１６にセットされた変換テーブル１５ａを参照して実行される。一方、補間比率生成部１３５ｂでは、各画素の下位５ビットで表される補間比率を生成する。そして、主要点変換部１３５ａから出力されるＣＭＹＫ表色系の主要点と、補間比率生成部１３５ｂから出力される補間比率とが、補間演算部１３５ｃへ入力される。補間演算部１３５ｃでは、ＣＭＹＫ表色系の主要点と、補間比率とから、出力すべきＣ，Ｍ，Ｙ，Ｋの値が演算され、ＣＭＹＫ表色系の画像データ９ｆが出力される。
【００５３】
このように、第２表色系変換部１３５では、Ｌａｂ表色系の画像データ９ｅを、主要点のデータと、その補間比率のデータとに分割し、主要点をＣＭＹＫ表色系に変換した後に、補間比率を掛け合わせてＣＭＹＫ表色系の画像データ９ｆを生成するようにしている。このため、ＲＯＭ１５には、主要点に関する変換テーブル１５ａのみを記憶しておけばよく、ＲＯＭ１５の負担が軽減される。
【００５４】
また、Ｌａｂ表色系の色空間７のうち、上記した領域７１の８つの頂点はいずれも主要点に該当する。変換テーブル１５ａには、領域７１の８つの頂点に対応する変換テーブルも含まれる。したがって、変換テーブル１５ａに基づいて、領域７１の８つの頂点をＣＭＹＫ表色系の主要点に変換することができる。また、補間比率を掛け合わせることによって、これら８つの頂点の中間調（領域７１内の任意の点）についても、適切に表色系を変換することができる。
【００５５】
図２に戻り、第２表色系変換部１３５から出力された画像データ９ｆは、次に、階調変換部１３６に入力される。階調変換部１３６は、画像データ９ｆの各画素のＣ成分、Ｍ成分、Ｙ成分、Ｋ成分を、画像記録部１４の記録方式に適した階調数へ変換する。たとえば、Ｃ成分、Ｍ成分、Ｙ成分、Ｋ成分を、ディザ処理や誤差拡散法による２値化処理により、それぞれ８ビットから１ビットに減少させる。変換後の画像データ９ｇは、画像記録部１４へ送信される。画像記録部１４では、画像データ９ｇに基づいて記録紙上に画像が記録される。
【００５６】
＜３．その他＞
以上、本発明の一実施形態について説明したが、本発明は上記の例に限定されるものではない。たとえば、図２に破線で示したように、画像合成部１３４から出力された画像データ９ｅは、バスライン２０を介して一旦大容量蓄積部２１に蓄積されるようにしてもよい。そして、大容量蓄積部２１に蓄積された画像データ９ｅが、操作部１９からの指示に基づいて読み出されるようにしてもよい。このようにすれば、適時に画像データ９ｅを読み出して、画像記録部１４で記録したり、外部インターフェイス部２２を介して外部装置へ送信したりすることができる。また、画像合成部１３４から出力された画像データ９ｅは、バスライン２０を介して直接外部インターフェイス部２２に送られ、外部装置へ送信されてもよい。
【００５７】
また、画像合成部１３４から出力された画像データ９ｅ自体に、領域７１に関する変換テーブルを保持させてもよい。具体的には、画像データ９ｅのヘッダ部分に、図８のような領域７１に関する変換テーブルを記述しておけばよい。変換テーブルは、領域７１とＣＭＹＫ表色系とを対応付けた変換テーブル６ａであってもよく、領域７１とＲＧＢ表色系とを対応付けた変換テーブル６ｂであってもよく、領域７１とＬａｂ表色系の他の領域とを対応付けた変換テーブル６ｃであってもよい。また、これらのうち複数の変換テーブルが記述されていてもよい。このようにすれば、領域７１に関する変換テーブルを有さない外部装置においても、画像データ９ｅを使用することができる。
【００５８】
第２表色系変換部１３５においては、ＲＡＭ１６へ読み出された変換テーブル１５ａと画像データ９ｅに記述された変換テーブル６ａ，６ｂ，または６ｃとを参照して、表色系の変換を行うことができる。このようにすれば、ＲＡＭ１６へ読み出された変換テーブル１５を書き換える必要はない。また、ＲＯＭ１５からＲＡＭ１６へ読み出された変換テーブル１５ａのうち領域７１に関する部分を、画像データ９ｅに記述された変換テーブル６ａ，６ｂ，または６ｃで書き換えることにより、表色系の変換を行ってもよい。
【図面の簡単な説明】
【００５９】
【図１】デジタルカラー複合機の構成を示したブロック図である。
【図２】画像処理部の構成を示したブロック図である。
【図３】画像合成部における画像の合成の例を示した図である。
【図４】Ｌａｂ表色系の色空間を示した図である。
【図５】Ｌａｂ表色系の色空間の無効領域を示した図である。
【図６】第２表色系変換部の構成を示したブロック図である。
【図７】従来の画像合成の処理を示した図である。
【図８】無効領域に関する変換テーブルの例を示した図である。
【符号の説明】
【００６０】
１    デジタルカラー複合機
７    Ｌａｂ表色系の色空間
８    画像
９ａ〜９ｇ    画像データ
１１    制御部
１２    画像読取部
１３    画像処理部
１４    画像記録部
１５    ＲＯＭ
１５ａ    変換テーブル
１９    操作部
７１    無効領域
１３１    Ａ／Ｄ変換部
１３２    第１表色系変換部
１３３    色調整部
１３４    画像合成部
１３５    表色系変換部
１３５ａ    主要点変換部
１３５ｂ    補間比率生成部
１３５ｃ    補間演算部
１３６    階調変換部
【図１】
2006229834.tif 000003
【図２】
2006229834.tif 000004
【図３】
2006229834.tif 000005
【図４】
2006229834.tif 000006
【図５】
2006229834.tif 000007
【図６】
2006229834.tif 000008
【図７】
2006229834.tif 000009
【図８】
2006229834.tif 000010